(57)【要約】【課題】ガス圧の変動に伴って膜が一時的に振動する場合に磁石が移動し、それにより、ガス流量が誤って検出されてしまうおそれを低減する。【解決手段】ガス圧の変動に伴って往復運動し得る膜と、膜に連結された翼軸12,12aと、翼軸12,12aが一端に配置された大肘金13,13aと、大肘金13,13aの他端が一端に連結された小肘金14,14aとを設け、膜が往復運動すると翼軸12,12aが回転し、それに伴って、小肘金14,14aの他端が環状の軌跡を描いて移動するように膜式ガスメータを構成する。小肘金14,14a上にピン8を設け、磁石2と切り欠き部分3とを有する円形の回転体1を小肘金14,14aに隣接して配置する。膜が一時的に振動する場合、つまり、ピン8の移動量が小さい場合に、ピン8の側面と切り欠き部分3の端面とが接触せず、回転体1が回転しないように、ピン8の側面と切り欠き部分3の端面との間に遊びを設けた。【選択図】図１
2006064606.tif 000002
【特許請求の範囲】
【請求項１】
ガス圧の変動に伴って往復運動し得る膜と、前記膜に連結された翼軸と、前記翼軸がその一端に配置された大肘金と、前記大肘金の他端がその一端に連結された小肘金とを具備し、前記膜が往復運動すると前記翼軸が回転し、それに伴って、前記小肘金の他端が環状の軌跡を描いて移動するように構成された膜式ガスメータにおいて、前記小肘金上に押動部を設け、磁石と切り欠き部分とを有する円形の回転体を前記小肘金に隣接して配置し、前記押動部の移動量が大きい場合には、前記押動部の側面によって前記切り欠き部分の端面が押動されて前記回転体が回転し、前記押動部の移動量が小さい場合には、前記押動部の側面と前記切り欠き部分の端面とが接触せず、前記回転体が回転しないように、前記押動部の側面と前記切り欠き部分の端面との間に遊びを設けたことを特徴とする膜式ガスメータ。
【請求項２】
前記回転体の外周面に対して摺動可能な内周面を有する第１回転体保持部材を設け、前記第１回転体保持部材により前記回転体を包囲したことを特徴とする請求項１に記載の膜式ガスメータ。
【請求項３】
前記回転体の下面を支持する第２回転体保持部材を設けたことを特徴とする請求項１又は２に記載の膜式ガスメータ。
【請求項４】
前記磁石を検出するためのセンサを設け、前記センサのヒステリシスを排除したことを特徴とする請求項１〜３のいずれか一項に記載の膜式ガスメータ。
【請求項５】
前記回転体に複数の磁石を設けたことを特徴とする請求項１〜４のいずれか一項に記載の膜式ガスメータ。
【請求項６】
請求項１〜５のいずれか一項に記載の膜式ガスメータに用いられる制御回路。
【発明の詳細な説明】
【技術分野】
【０００１】
本発明は、ガス圧の変動に伴って往復運動し得る膜と、膜に連結された翼軸と、翼軸がその一端に配置された大肘金と、大肘金の他端がその一端に連結された小肘金とを具備し、膜が往復運動すると翼軸が回転し、それに伴って、小肘金の他端が環状の軌跡を描いて移動するように構成された膜式ガスメータおよびそれに用いられる制御回路に関し、特には、ガス圧の変動に伴って膜が一時的に振動する場合に磁石が移動し、それにより、ガス流量が誤って検出されてしまうおそれを低減することができる膜式ガスメータおよびそれに用いられる制御回路に関する。
【背景技術】
【０００２】
従来から、ガス圧の変動に伴って往復運動し得る膜と、膜に連結された翼軸と、翼軸がその一端に配置された大肘金と、大肘金の他端がその一端に連結された小肘金とを具備し、膜が往復運動すると翼軸が回転し、それに伴って、小肘金の他端が環状の軌跡を描いて移動するように構成された膜式ガスメータが知られている。この種の膜式ガスメータの例としては、例えば特開２００２−２６７５１８号公報、特開２００４−１５１０２３号公報などに記載されたものがある。
【０００３】
図６は従来の膜式ガスメータの分解斜視図である。詳細には、図６は特開２００２−２６７５１８号公報の図８に記載された従来の膜式ガスメータに対応する図である。図７は従来の膜式ガスメータの拡大平面図である。詳細には、図７は特開２００４−１５１０２３号公報の図１４に記載された従来の膜式ガスメータに対応する図である。図８は従来の膜式ガスメータの部分断面側面図である。詳細には、図８は特開２００４−１５１０２３号公報の図１５に記載された従来の膜式ガスメータに対応する図である。
【０００４】
従来の膜式マイコンガスメータは、図６〜図８に示すように、ガス流入口１１から流入するガス圧によって計量室内の計量膜（図示せず）を往復運動させると共にこの往復運動を翼軸１２、１２ａから図７に示す大肘金１３、１３ａと小肘金１４、１４ａ及びクランク機構１５、ウォームギヤ１６、ウォームホイール軸１７を経由して回転運動に変換し、この回転運動を水平軸１８から水平軸ギヤ１９、換ギヤ２０、２１及びカウンタギヤ２２を経由して機械式カウンタ２３を駆動して積算値（ガスの使用量）を表示し、そして小肘金１４ａには流量発信用に磁石２”が取り付けられていて、この磁石２”（小肘金１４ａ）が１回転する毎に１パルスを受信する流量検出センサ２４が設けられていると共にパルス数を基に制御回路２５で流量を計算する構成となっている。
【０００５】
なお、小肘金１４および１４ａの交点はクランク機構１５と軸にて結合され、図７に示す破線部９のような円軌道を描く。１０は破線部９の円軌道の中心点を示している。このとき、磁石２”の軌道はガス圧によって計量室内の計量膜を往復運動により特開２００２−２６７５１８号にも示されるような楕円軌道を描いている。
【０００６】
つまり、図６〜図８に示した従来の膜式ガスメータでは、ガス圧の変動に伴って往復運動し得る膜（図示せず）と、膜に連結された翼軸１２、１２ａと、翼軸１２、１２ａが一端に配置された大肘金１３、１３ａと、大肘金１３、１３ａの他端が一端に連結された小肘金１４、１４ａとが設けられ、膜が往復運動すると翼軸１２、１２ａが回転し、それに伴って、小肘金１４ａ上の磁石２”が環状の軌跡を描いて移動するように構成されている。
【０００７】
しかしながら、従来の構造では膜の往復運動から磁石２”の回転運動の変換まで完全に連動しているため、ガス圧変動による一時的な膜の逆方向の動作をも小肘金１４ａに具備された磁石２”に伝えられ、磁石２”とセンサ２４の位置関係によってはこの正方向・逆方向の振動的動作により、センサ２４のオンオフが繰り返されるという異常な流量入力を検出してしまうとういう不具合が生じることがあった。
【０００８】
つまり、特開２００２−２６７５１８号公報、特開２００４−１５１０２３号公報などに記載された従来の膜式ガスメータにおいては、膜から磁石２”までの駆動伝達機構の中に遊びが設けられていなかった。そのため、ガス圧の変動に伴って膜が一時的に振動する場合に磁石２”が移動してしまい、それにより、ガス流量が誤って検出されてしまうおそれがあった。。
【０００９】
これら不具合を解消する為に従来の膜式ガスメータにおいては、センサ２４のオン→オフおよびオフ→オンとなるときの磁界の検出レベルに大きなヒステリシスをセンサ２４に持たせることで解決を図ることがなされていた。
【００１０】
【特許文献１】特開２００２−２６７５１８号公報
【００１１】
【特許文献２】特開２００４−１５１０２３号公報
【発明の開示】
【発明が解決しようとする課題】
【００１２】
前記問題点に鑑み、本発明は、ガス圧の変動に伴って膜が一時的に振動する場合に磁石が移動し、それにより、ガス流量が誤って検出されてしまうおそれを低減することができる膜式ガスメータを提供することを目的とする。
【課題を解決するための手段】
【００１３】
請求項１に記載の発明によれば、ガス圧の変動に伴って往復運動し得る膜と、前記膜に連結された翼軸と、前記翼軸がその一端に配置された大肘金と、前記大肘金の他端がその一端に連結された小肘金とを具備し、前記膜が往復運動すると前記翼軸が回転し、それに伴って、前記小肘金の他端が環状の軌跡を描いて移動するように構成された膜式ガスメータにおいて、前記小肘金上に押動部を設け、磁石と切り欠き部分とを有する円形の回転体を前記小肘金に隣接して配置し、前記押動部の移動量が大きい場合には、前記押動部の側面によって前記切り欠き部分の端面が押動されて前記回転体が回転し、前記押動部の移動量が小さい場合には、前記押動部の側面と前記切り欠き部分の端面とが接触せず、前記回転体が回転しないように、前記押動部の側面と前記切り欠き部分の端面との間に遊びを設けたことを特徴とする膜式ガスメータが提供される。
【００１４】
請求項２に記載の発明によれば、前記回転体の外周面に対して摺動可能な内周面を有する第１回転体保持部材を設け、前記第１回転体保持部材により前記回転体を包囲したことを特徴とする請求項１に記載の膜式ガスメータが提供される。
【００１５】
請求項３に記載の発明によれば、前記回転体の下面を支持する第２回転体保持部材を設けたことを特徴とする請求項１又は２に記載の膜式ガスメータが提供される。
【００１６】
請求項４に記載の発明によれば、前記磁石を検出するためのセンサを設け、前記センサのヒステリシスを排除したことを特徴とする請求項１〜３のいずれか一項に記載の膜式ガスメータが提供される。
【００１７】
請求項５に記載の発明によれば、前記回転体に複数の磁石を設けたことを特徴とする請求項１〜４のいずれか一項に記載の膜式ガスメータが提供される。
【００１８】
請求項６に記載の発明によれば、請求項１〜５のいずれか一項に記載の膜式ガスメータに用いられる制御回路が提供される。
【発明の効果】
【００１９】
請求項１に記載の膜式ガスメータでは、ガス圧の変動に伴って膜が一時的に往復運動する、つまり、膜が振動する場合、すなわち、小肘金の他端の移動量が小さい場合には、小肘金上に設けられた押動部の側面と、小肘金に隣接して配置された円形の回転体の切り欠き部分の端面とが接触せず、回転体が回転しないように、すなわち、回転体に設けられた磁石が移動しないように、押動部の側面と切り欠き部分の端面との間に遊びが設けられている。換言すれば、膜から磁石までの駆動伝達機構の中に遊びが設けられている。そのため、ガス圧の変動に伴って膜が一時的に振動する場合に磁石が移動し、それにより、ガス流量が誤って検出されてしまうおそれを低減することができる。
【００２０】
具体的には、例えば円形の回転体の一部に切り欠き部分が形成され、環状の軌跡を描いて移動する押動部がその切り欠き部分に引っ掛けられ、押動部の運動が回転体の回転運動に伝達される。例えば押動部がピンにより構成されている場合には、ピンの直径に対して切り欠き部分が充分に大きく設定されている。詳細には、正方向・逆方向にピンが振動しても、ピンの振動が回転体に伝達されないように、ピンの直径および切り欠き部分が設定されている。つまり、回転運動の伝達の一部に［遊び」が設けられているため、脈動から生じる回転または楕円運動の振動を「遊び」以降の回転構造に伝えないようにすることができる。
【００２１】
押動部と小肘金とを別部材として構成してもよく、あるいは、押動部と小肘金とを一部材により構成してもよい。また、回転体と磁石とを別部材として構成してもよく、あるいは、回転体と磁石とを一部材により構成してもよい。
【００２２】
請求項２に記載の膜式ガスメータでは、回転体の外周面に対して摺動可能な内周面を有する第１回転体保持部材が設けられ、第１回転体保持部材により回転体が包囲されている。そのため、例えば回転体の回転軸およびその回転軸を支持するための支持構造を設ける必要なく、簡易な構造により回転体および磁石を回転運動させることができる。
【００２３】
具体的には、例えば回転体の直径より僅かに大きな円筒形の穴を有する板状の第１回転体保持部材に回転体が収容され、第１回転体保持部材の内周面によって、回転体の外周面が制限され、回転体が回転運動せしめられる。
【００２４】
請求項３に記載の膜式ガスメータでは、回転体の下面を支持する第２回転体保持部材が設けられている。そのため、例えば回転体の回転軸およびその回転軸を支持するための支持構造を設ける必要なく、簡易な構造により、回転体および磁石が下方向に脱落してしまうのを防止することができる。つまり、簡易な構造により回転体および磁石を支持して回転運動させることができる。
【００２５】
例えば回転体、第１回転保持部材、第２回転保持部材、および磁石の厚さを薄く設計することにより、膜式ガスメータ全体の大きさを殆ど増大させる必要なく、ガス流量の誤検出を低減することができる。
【００２６】
膜から磁石までの駆動伝達機構の中に遊びが設けられていない場合には、ガス圧の変動に伴って膜が一時的に振動して磁石が移動する時にガス流量が誤って検出されないようにするために、例えば磁石を検出するセンサにヒステリシスを設ける必要がある。ところが、上述したように、膜から磁石までの駆動伝達機構の中に遊びが設けられている場合には、ガス圧の変動に伴って膜が一時的に振動しても、磁石が移動せず、ガス流量が誤って検出されるおそれがない。この点に鑑み、請求項４に記載の膜式ガスメータでは、磁石を検出するセンサのヒステリシスが排除されている。そのため、センサにヒステリシスが設けられている場合よりも磁石の検出回路を簡略化することができる。
【００２７】
つまり、例えば押動部としてのピンの振動が回転体に伝達されないように構成されていれば、回転体の磁石を検出するためのセンサにヒステリシスを設けなくても、ピンの振動の影響を受けることなく、本来の回転体の回転運動を検出することができる。
【００２８】
請求項５に記載の膜式ガスメータでは、回転体に複数の磁石が設けられている。そのため、回転体に磁石が一つのみ設けられている場合よりも、回転体の１回転当たりの磁石の検出回数が増加せしめられ、それにより、ガス流量の検出を高分解能化することができる。
【００２９】
具体的には、例えば複数の磁石を回転体に搭載することにより、回転体の１回転当たりの回転体からの磁界発信回数を増加させることができ、それにより、信号発信の高分解能化を図ることができる。
【００３０】
請求項６に記載の制御回路が設けられている膜式ガスメータでは、ガス圧の変動に伴って膜が一時的に往復運動する、つまり、膜が振動する場合、すなわち、小肘金の他端の移動量が小さい場合には、小肘金上に設けられた押動部の側面と、小肘金に隣接して配置された円形の回転体の切り欠き部分の端面とが接触せず、回転体が回転しないように、すなわち、回転体に設けられた磁石が移動しないように、押動部の側面と切り欠き部分の端面との間に遊びが設けられている。換言すれば、膜から磁石までの駆動伝達機構の中に遊びが設けられている。そのため、ガス圧の変動に伴って膜が一時的に振動する場合に磁石が移動し、それにより、ガス流量が誤って検出されてしまうおそれを低減することができる。
【発明を実施するための最良の形態】
【００３１】
図１は本発明の膜式ガスメータの第１実施形態の分解斜視図である。図２は図１に示した第１の実施形態の膜式ガスメータの部分断面側面図である。図３は図１に示した第１の実施形態の膜式ガスメータの特徴的な部分の詳細図である。詳細には、図３（Ａ）は図１に示した第１の実施形態の膜式ガスメータの特徴的な部分の平面図、図３（Ｂ）は図３（Ａ）中のＡ−Ａ’断面図である。
【００３２】
図１および図６を比較するとわかるように、第１の実施形態の膜式ガスメータにおいても、ガス圧の変動に伴って往復運動し得る膜（図示せず）と、膜に連結された翼軸（１２、１２ａ）と、翼軸（１２、１２ａ）が一端に配置された大肘金（１３、１３ａ）と、大肘金（１３、１３ａ）の他端が一端に連結された小肘金（１４、１４ａ）とが設けられ、膜が往復運動すると翼軸（１２、１２ａ）が回転し、それに伴って、小肘金（１４、１４ａ）の他端が円の軌跡（図７の破線部９参照）を描いて移動するように構成されている。
【００３３】
更に、第１の実施形態の膜式ガスメータでは、図１〜図３に示すように、小肘金（１４、１４ａ）の他端上に押動部としてのピン８が設けられ、磁石２と切り欠き部分３とを有する円形の回転体１が小肘金（１４、１４ａ）に隣接して配置されている（図８参照）。つまり、第１の実施形態の膜式ガスメータでは、膜が往復運動すると、小肘金（１４、１４ａ）の他端上に配置されたピン８が円の軌跡（図３中の破線部９）を描いて移動するように構成されている。
【００３４】
また、第１の実施形態の膜式ガスメータでは、図３に示すように、ピン８の移動量が大きい場合には、ピン８の側面によって切り欠き部分３の端面が押動されて回転体１が回転し、一方、ピン８の移動量が小さい場合には、ピン８の側面と切り欠き部分３の端面とが接触せず、回転体１が回転しないように、ピン８の側面と切り欠き部分３の端面との間に隙間、つまり、遊びが設けられている。
【００３５】
すなわち、第１の実施形態の膜式ガスメータでは、ガス圧の変動に伴って膜が一時的に往復運動する場合、つまり、膜が振動する場合、すなわち、小肘金（１４、１４ａ）の他端上のピン８の移動量が小さい場合には、ピン８の側面と、小肘金（１４、１４ａ）上に配置された円形の回転体１の切り欠き部分３の端面とが接触せず、回転体１が回転しないように、すなわち、回転体１に設けられた磁石２が移動しないように、ピン８の側面と切り欠き部分３の端面との間に遊びが設けられている。換言すれば、膜から磁石２までの駆動伝達機構の中に遊びが設けられている。そのため、ガス圧の変動に伴って膜が一時的に振動する場合に磁石２が移動し、それにより、ガス流量が誤って検出されてしまうおそれを低減することができる。
【００３６】
第１の実施形態の膜式ガスメータでは、図１〜図３に示すように、押動部としてのピン８と小肘金（１４、１４ａ）とが別部材によって構成されているが、第２の実施形態の膜式ガスメータでは、押動部としてのピンと小肘金とを一部材により構成することも可能である。また、第１の実施形態の膜式ガスメータでは、図１および図３に示すように、回転体１と磁石２とが別部材によって構成されているが、第３の実施形態の膜式ガスメータでは、回転体と磁石とを一部材により構成することも可能である。
【００３７】
更に、第１の実施形態の膜式ガスメータでは、図１〜図３に示すように、回転体１の外周面に対して摺動可能な内周面を有する第１回転体保持部材５が設けられ、第１回転体保持部材５により回転体１が包囲されている。また、回転体１の下面を支持する第２回転体保持部材６が設けられている。
【００３８】
また、図１〜図３において、４はネジ、７は支柱を示している。
【００３９】
図２および図３に示すように、回転体１、第１回転保持部材５、第２回転保持部材６、および磁石２の厚さを薄く設計することにより、膜式ガスメータ全体の大きさを殆ど増大させる必要なく、ガス流量の誤検出を低減することができる。
【００４０】
すなわち、第１の実施形態の膜式ガスメータでは、図１〜図３に示したように、回転体１に磁石２が設けられ、回転体１の直径より僅かに大きな円筒形の穴を有する板状の第１回転保持部材５に回転体１を収め入れることができるように、回転体１および第１回転保持部材５が構成されている。回転体１の直径は第１回転保持部材５の穴径よりも小さいため、そのままでは回転体１は第１回転保持部材５から下方へ脱落してしまうので、回転体１の直径より小さい穴径でかつ、ピン８の回転軌跡（図３の破線部９参照）の直径より大きい穴径を有する第２回転保持部材６が第１回転保持部材５の下部に配置され、それにより、回転体１の下方向への脱落が防止されている。
【００４１】
図６に示したように、従来の膜式ガスメータにおいては、小肘金１４および１４ａの交点はクランク機構１５と軸にて結合されるが、図１〜図３に示したように、第１の実施形態の膜式ガスメータでは、この軸がピン８の形状とされている。ピン８は従来の技術に記述したように回転運動を行い、その軌跡は図３に破線部９として示したような軌跡を描く。上述したように、回転体１は磁石２を保持するような構造となっており、また、回転体１には切り欠き部分３が設けられ、図３に示したようにピン８と切り欠き部分３とを配置することにより、ピン８の回転運動により、回転体１の切り欠き部分３にピン８が引っ掛けられて回転体１も回転することとなる。このとき、回転運動する磁石２を、制御回路２５に取付けられた磁気検出センサである流量センサ２４によって検出することにより、回転体１の回転運動を制御回路に取り込むことができる。
【００４２】
ところで、従来の方法では前述のようにガス圧変動による一時的な膜の逆方向への動作をも小肘金１４ａに具備された磁石２”に伝えられるため、ガス圧の変動により磁石２”が振動的に動作するので、磁石２”とセンサ２４が近い位置にあった場合など、流量信号検出に異常が生じるということがあった。ガス圧変動による振動的動作が生じることを一般的に「脈動から生じる振動動作」と称している。
【００４３】
一方、第１の実施形態の膜式ガスメータでは、図１および図３に示したように、回転運動を伝達するピン８および回転体１の結合方式に回転体１に切り欠き部分３を設けることによる所謂、「遊び」を設けているため「遊び」の範囲内の「脈動から生じるピンの振動動作」を回転体１に伝えない構造となっており、脈動耐性を向上させることが可能となる。
【００４４】
膜から磁石２”までの駆動伝達機構の中に遊びが設けられていない図６〜図８に示した従来の膜式ガスメータにおいては、ガス圧の変動に伴って膜が一時的に振動して磁石２”が移動する時にガス流量が誤って検出されないようにするために、例えば磁石２”を検出するセンサ２４にヒステリシスを設ける必要がある。ところが、上述したように、膜から磁石２までの駆動伝達機構の中に遊びが設けられている図１〜図３に示した第１の実施形態の膜式ガスメータでは、ガス圧の変動に伴って膜が一時的に振動しても、磁石２が移動せず、ガス流量が誤って検出されるおそれがない。そのため、第１の実施形態の膜式ガスメータでは、磁石２を検出するセンサ２４のヒステリシスを排除することも可能である。それにより、センサ２４にヒステリシスが設けられている場合よりも磁石２の検出回路を簡略化することができる。
【００４５】
図４は第４の実施形態の膜式ガスメータの回転体１’を示した図である。図１〜図３に示したように、第１の実施形態の膜式ガスメータでは、１個の磁石２が回転体１に設けられているが、図４に示すように、第４の実施形態の膜式ガスメータでは、切り欠き部分３’が形成された回転体１’に複数の磁石２’が設けられている。第４の実施形態の膜式ガスメータによっても同様脈動耐性を向上することができることは明白である。
【００４６】
図５は第５の実施形態の膜式ガスメータに用いられる制御回路を示した図である。図５に示すように、第５の実施形態の膜式ガスメータに用いられる制御回路２５では、流量センサ２４の他に、圧力センサ４３、感震器４４、表示・通報手段４５、テスト入力手段４６、および、遮断弁４８がマイコン４１に対して電気的に接続されている。
【００４７】
第１から第５の実施形態の膜式ガスメータによれば、回転体１、１’の切り欠き部分３、３’の大きさで脈動耐性を決定できるので、従来センサのヒステリシスに依存していた脈動耐性に比べ、大きな効果を得ることができる上、追加部品の構成および要素が非常に簡単であり、改良および検証期間を短くすることが可能である。
【００４８】
また、第１から第５の実施形態の膜式ガスメータによれば、従来の膜式ガスメータの僅かのスペースに追加部品を組み入れることが可能なため、メータケースであるアルミダイキャストの型投資が不要であり、適用性に富むという効果もある。
【図面の簡単な説明】
【００４９】
【図１】本発明の膜式ガスメータの第１実施形態の分解斜視図である。
【図２】図１に示した第１の実施形態の膜式ガスメータの部分断面側面図である。
【図３】図１に示した第１の実施形態の膜式ガスメータの特徴的な部分の詳細図である。
【図４】第４の実施形態の膜式ガスメータの回転体１’を示した図である。
【図５】第５の実施形態の膜式ガスメータに用いられる制御回路を示した図である。
【図６】従来の膜式ガスメータの分解斜視図である。
【図７】従来の膜式ガスメータの拡大平面図である。
【図８】従来の膜式ガスメータの部分断面側面図である。
【符号の説明】
【００５０】
１，１’          回転体
２，２’，２”    磁石
３，３’          切り欠き部分
４                ネジ
５                第１回転保持部材
６                第２回転保持部材
７                支柱
８                ピン
９                破線部
１０                円軌道の中心点
１１                ガス流入口
１２，１２ａ        翼軸
１３，１３ａ        大肘金
１４，１４ａ        小肘金
１５                クランク機構
１６                ウォームギヤ
１７                ウォームホイール軸
１８                水平軸
１９                水平軸ギヤ
２０，２１          換ギヤ
２２                カウンタギヤ
２３                機械式カウンタ
２４                センサ
２５                制御回路
【図１】
2006064606.tif 000003
【図２】
2006064606.tif 000004
【図３】
2006064606.tif 000005
【図４】
2006064606.tif 000006
【図５】
2006064606.tif 000007
【図６】
2006064606.tif 000008
【図７】
2006064606.tif 000009
【図８】
2006064606.tif 000010